(57)【要約】      （修正有）【課題】天板の高さ位置を調整可能な構造であっても、補助天板を天板の高さ位置に対応した所望の高さ位置に高い強度で固定することができる机及び補助天板付き机を提供する。【解決手段】机は、天板１２の左右端の内方下面より垂下される補助脚１６を有する本体１８と、補助脚１６の外面に対して高さ位置を変更可能に取り付けられる主脚２０とを備え、本体１８は、補助脚１６の上端外面側に取付巾木２８を有し、取付巾木２８には、天板１２の大きさを拡張する補助天板１４の上取付部３０ａを取り付ける第１取付部３２が設けられ、主脚２０には、補助天板１４において上取付部３０ａの下方に設けられる下取付部３０ｂ、３０ｃ、３０ｄを取り付ける第２取付部４０が設けられている。【選択図】図４
2015012926.tif 000002
【特許請求の範囲】
【請求項１】
天板、及び該天板の左右端の内方下面より垂下される補助脚を有する本体と、前記補助脚の外面に対して高さ位置を変更可能に取り付けられる主脚とを備え、前記主脚に対する前記補助脚の高さ位置を変更することで天板の高さ位置を調整可能に構成される机であって、
前記本体は、前記補助脚の上端外面側に取付部材を有し、該取付部材には、前記天板の大きさを拡張する補助天板の上取付部を取り付ける第１取付部が設けられ、
前記主脚には、前記補助天板において前記上取付部の下方に設けられる下取付部を取り付ける第２取付部が設けられていることを特徴とする机。
【請求項２】
請求項１記載の机において、
前記上取付部と前記下取付部との間の上下方向のピッチ、及び前記第１取付部と前記第２取付部との間の上下方向のピッチは、前記天板の高さ位置の調整ピッチに対応しており、
少なくとも前記上取付部、前記下取付部、前記第１取付部、及び前記第２取付部のうちのいずれか１つは、前記天板の高さ位置の調整ピッチに対応するピッチで上下方向に複数設けられていることを特徴とする机。
【請求項３】
請求項１又は２記載の机において、
前記取付部材は、前記天板の前後方向に沿って延び、その先端部が天板の前端部より後方に退避した位置にあり、
少なくとも前記天板の高さ位置が最も下降した位置に設定された場合に、当該机の正面視で、前記主脚の正面側の端面が前記取付部材の先端部を隠す位置にあることを特徴とする机。
【請求項４】
請求項２記載の机において、
前記第１取付部及び前記第２取付部は、それぞれ上下方向で１段設けられ、
前記上取付部及び前記下取付部は、少なくとも一方が上下方向で複数段設けられていることを特徴とする机。
【請求項５】
請求項１〜４のいずれか１項に記載の机において、
前記取付部材は、前記本体及び前記主脚に対して着脱可能であることを特徴とする机。
【請求項６】
天板、及び該天板の左右端の内方下面より垂下される補助脚を有する本体と、前記補助脚の外面に対して高さ位置を変更可能に取り付けられる主脚とを備え、前記主脚に対する前記補助脚の高さ位置を変更することで天板の高さ位置を調整可能に構成される机と、
前記机に着脱可能に取り付けられることで、前記天板の大きさを拡張する補助天板と、
を備え、
前記本体は、前記補助脚の上端外面側に設けられる取付部材を有し、
前記取付部材には、前記補助天板の上取付部を取り付ける第１取付部が設けられ、
前記主脚には、前記補助天板において前記上取付部の下方に設けられる下取付部を取り付ける第２取付部が設けられていることを特徴とする補助天板付き机。
【請求項７】
請求項６記載の補助天板付き机において、
前記上取付部と前記下取付部との間の上下方向のピッチ、及び前記第１取付部と前記第２取付部との間の上下方向のピッチは、前記天板の高さ位置の調整ピッチに対応しており、
少なくとも前記上取付部、前記下取付部、前記第１取付部、及び前記第２取付部のうちのいずれか１つは、前記天板の高さ位置の調整ピッチに対応するピッチで上下方向に複数設けられていることを特徴とする補助天板付き机。
【請求項８】
請求項６又は７記載の補助天板付き机において、
前記補助天板は、前記天板を拡張するための天板部と、該天板部の前記天板への取付側の側端部から垂下される幕板部とを備え、
前記上取付部及び前記下取付部は、前記幕板部の上下方向に沿って形成されていることを特徴とする補助天板付き机。
【発明の詳細な説明】
【技術分野】
【０００１】
本発明は、天板の高さ位置を調整可能であると共に、天板の大きさを拡張する補助天板を取付可能な机、及び補助天板付き机に関する。
【背景技術】
【０００２】
従来より、机の天板の大きさ（天板面積）を拡張するために、机の側面にボルト等で着脱可能な構造の補助天板を取り付ける机が提案されている（特許文献１参照）。特許文献１の机は、机の側面にＬ字形の金具を取り付け、この金具の上面に拡張用の補助天板の下面を固定する構造となっている。
【先行技術文献】
【特許文献】
【０００３】
【特許文献１】実開平２−９１３３号公報
【発明の概要】
【発明が解決しようとする課題】
【０００４】
ところで、児童用の学習机等では、使用する子供の成長に合わせて机の天板の高さ位置を調整できる構成が採用されることがあり、このような天板の昇降機能はオフィス用や会議用の机等に設けられることもある。
【０００５】
このような天板昇降式の机に補助天板を取り付ける場合、特許文献１の補助天板の取付構造では、天板の昇降動作に補助天板を追従させることができず、天板と補助天板の高さ位置がずれてしまうことになる。また、特許文献１の構造では、補助天板の高さ方向で１箇所のみに金具が固定されるため、補助天板に荷重がかかると金具に大きな負担がかかり、耐久性の問題も生じることになる。
【０００６】
本発明は、上記従来技術の課題を考慮してなされたものであり、天板の高さ位置を調整可能な構造であっても、補助天板を天板の高さ位置に対応した所望の高さ位置に高い強度で固定することができる机、及び補助天板付き机を提供することを目的とする。
【課題を解決するための手段】
【０００７】
本発明に係る机は、天板、及び該天板の左右端の内方下面より垂下される補助脚を有する本体と、前記補助脚の外面に対して高さ位置を変更可能に取り付けられる主脚とを備え、前記主脚に対する前記補助脚の高さ位置を変更することで天板の高さ位置を調整可能に構成される机であって、前記本体は、前記補助脚の上端外面側に取付部材を有し、該取付部材には、前記天板の大きさを拡張する補助天板の上取付部を取り付ける第１取付部が設けられ、前記主脚には、前記補助天板において前記上取付部の下方に設けられる下取付部を取り付ける第２取付部が設けられていることを特徴とする。
【０００８】
また、本発明に係る補助天板付き机は、天板、及び該天板の左右端の内方下面より垂下される補助脚を有する本体と、前記補助脚の外面に対して高さ位置を変更可能に取り付けられる主脚とを備え、前記主脚に対する前記補助脚の高さ位置を変更することで天板の高さ位置を調整可能に構成される机と、前記机に着脱可能に取り付けられることで、前記天板の大きさを拡張する補助天板とを備え、前記本体は、前記補助脚の上端外面側に設けられる取付部材を有し、前記取付部材には、前記補助天板の上取付部を取り付ける第１取付部が設けられ、前記主脚には、前記補助天板において前記上取付部の下方に設けられる下取付部を取り付ける第２取付部が設けられていることを特徴とする。
【０００９】
このような構成によれば、補助天板を、本体側の取付巾木の第１取付部と、本体の高さ位置を変更可能に支持する主脚の第２取付部とに対して、上取付部と下取付部とで同時に取り付ける構造としている。従って、天板の高さ位置を変更した場合であっても、補助天板の高さ位置を天板の高さ位置に対応した所望の高さ位置に容易に設定することができ、さらに、補助天板を上下方向２箇所で支持することにより高い強度で机に固定することができる。
【００１０】
この場合、前記上取付部と前記下取付部との間の上下方向のピッチ、及び前記第１取付部と前記第２取付部との間の上下方向のピッチは、前記天板の高さ位置の調整ピッチに対応しており、少なくとも前記上取付部、前記下取付部、前記第１取付部、及び前記第２取付部のうちのいずれか１つは、前記天板の高さ位置の調整ピッチに対応するピッチで上下方向に複数設けられているとよい。そうすると、天板の高さ位置を変更した場合であっても、その高さ位置の調整ピッチに対し、補助天板の取付ピッチである第１取付部と第２取付部との間のピッチ、及び上取付部と下取付部との間のピッチを追従させることができるため、補助天板の高さ位置を天板の高さ位置の調整に確実に対応させることができる。
【００１１】
前記取付部材は、前記天板の前後方向に沿って延び、その先端部が天板の前端部より後方に退避した位置にあり、少なくとも前記天板の高さ位置が最も下降した位置に設定された場合に、当該机の正面視で、前記主脚の正面側の端面が前記取付部材の先端部を隠す位置にあると、補助天板を取り付けない状態で机の正面に取付部材が露出することを防止できるため、机の外観を向上させることができる。
【００１２】
前記第１取付部及び前記第２取付部は、それぞれ上下方向で１段設けられ、前記上取付部及び前記下取付部は、少なくとも一方が上下方向で複数段設けられていると、補助天板を取り付けない場合に、机の側面において、補助天板の取付構造に係る要素は、第１取付部及び第２取付部のみが露出するだけとなるため、机の外観が損なわれることを最小限に抑えることができる。
【００１３】
前記取付部材は、前記本体及び前記主脚に対して着脱可能であってもよい。そうすると、補助天板を利用しない場合に、取付部材を主脚に対して一体的に固定しておくことができ、机を昇降させた際の側面の外観を向上させることができる。
【００１４】
前記補助天板は、前記天板を拡張するための天板部と、該天板部の前記天板への取付側の側端部から垂下される幕板部とを備え、前記上取付部及び前記下取付部は、前記幕板部の上下方向に沿って形成されている構成とすると、簡素な構造で高い強度の補助天板を構成することができる。
【発明の効果】
【００１５】
本発明によれば、天板の高さ位置を変更した場合であっても、補助天板の高さ位置を天板の高さ位置に対応した所望の高さ位置に容易に設定することができ、さらに、補助天板を上下方向２箇所で支持することにより高い強度で机に固定することができる。
【図面の簡単な説明】
【００１６】
【図１】図１は、本発明の一実施形態に係る机の斜視図である。
【図２】図２は、図１に示す机から補助天板を取り外した状態を示す一部分解斜視図である。
【図３】図３は、図１に示す机の天板の高さ位置を最も上昇させた位置とし、補助天板を取り外した状態を示す一部分解斜視図である。
【図４】図４は、補助天板の取付構造を説明するための机の一部断面正面図であり、図４（Ａ）は、天板の高さ位置を最も下降させた位置にした状態を示す図であり、図４（Ｂ）は、天板の高さ位置を最も上昇させた位置にした状態を示す図である。
【図５】図５は、補助天板の構成図であり、図５（Ａ）は、補助天板の平面図であり、図５（Ｂ）は、補助天板の側面図であり、図５（Ｃ）は、補助天板の正面図である。
【図６】図６は、取付巾木を本体及び主脚に対して着脱可能とした構成例を示す斜視図である。
【発明を実施するための形態】
【００１７】
以下、本発明に係る机について、この机に取り付けられる補助天板との関係で好適な実施の形態を挙げ、添付の図面を参照しながら詳細に説明する。
【００１８】
図１は、本発明の一実施形態に係る机１０の斜視図であり、天板１２の高さ位置を最も下降させた位置（下段）とし、一方の側部に補助天板１４を取り付けた状態を示している。図２は、図１に示す机１０から補助天板１４を取り外した状態を示す一部分解斜視図であり、図３は、図１に示す机１０の天板１２の高さ位置を最も上昇させた位置（上段）とし、補助天板１４を取り外した状態を示す一部分解斜視図である。
【００１９】
机１０は、天板１２を所定の高さ位置（本実施形態では３段の高さ位置）に昇降可能であり、さらに、補助天板１４を設置することで天板１２の表面積を拡張可能に構成された天板昇降式且つ天板拡張式の机である。本実施形態では、机１０として、例えば、使用する子供の成長に応じて天板１２の高さ位置を調整し、天板１２の作業面積を拡張することができる学習机を例示する。本発明は、学習机以外のもの、例えば、オフィス用の事務机や長机等、各種用途の机に対して適用可能であることは勿論である。
【００２０】
図１に示すように、机１０は、天板１２の左右端の内方下面から左右一対の補助脚（内側板）１６，１６を垂下させた本体１８と、床面上に立脚され、補助脚１６，１６に対して上下方向の複数位置で固定可能な左右一対の主脚（外側板）２０，２０とを備える。つまり、机１０の側板（脚部）は、補助脚１６と主脚２０とで構成されている。以下、図示しない椅子に着席した使用者から見た方向で、手前側を前方、奥側を後方、横方向をそれぞれ左右方向と規定して各要素の構成及び位置関係を説明する。
【００２１】
本体１８は、天板１２の下面１２ａの左右端近傍に、矩形板状の補助脚１６が鉛直方向に沿って一体的に固定され、正面視門形に構成されている。天板１２は、所定の板厚を有する矩形の板状部材である。補助脚１６は、天板１２の下面１２ａに対して図示しない金具等を用いて固定されており、平面視で天板１２の内側に完全に隠れる。左右の補助脚１６，１６間の上部には、引出し２２，２３が収納可能且つ引出可能に設けられている。本体１８の背面側には、左右の補助脚１６，１６間に渡る幕板２４が取り付けられている（図２参照）。天板１２、補助脚１６及び幕板２４等は、例えば、木製や金属製の板材によって構成される。
【００２２】
各補助脚１６には、その外面側の所定位置に主脚２０が連結固定される。図１〜図４に示すように、補助脚１６には、上下方向に沿って複数（本実施形態では５段）の主脚取付部２６ａ，２６ｂ，２６ｃ，２６ｄ，２６ｅが前後方向で一対設けられている。本実施形態の場合、各主脚取付部２６ａ〜２６ｅは、鬼目ナットで構成されている。つまり、主脚取付部２６ａ〜２６ｅは、補助脚１６に螺入・埋設されることで、その内周面に形成された雌ねじを該補助脚１６の外面側に露出させたナット部材である。
【００２３】
図２〜図４に示すように、左右の補助脚１６，１６の外面上端位置には、天板１２の下面１２ａに当接又は近接し、天板１２の前後方向に沿って延びた細長い直方体形状の取付巾木（取付部材、間座）２８，２８がそれぞれ設けられている。取付巾木２８の先端部には、後方に向かって下方に傾斜する先端面（傾斜面）２８ａが形成され、この先端面２８ａが補助脚１６の正面側の端面１６ａ及び天板１２の前端面（前端部）１２ｂより後方に退避した位置にある。取付巾木２８の後端部は、補助脚１６（天板１２）の背面側の端面に略一致した位置にある。つまり、取付巾木２８の前後方向寸法は、天板１２及び補助脚１６の前後方向寸法より短く設定されている。
【００２４】
取付巾木２８は、例えば、補助脚１６を内面側から貫通するボルト（図示せず）によって該補助脚１６の外面に固定され、その外面が主脚２０の外面と同一平面上にある。取付巾木２８の外面には、補助天板１４の上取付部３０ａ，３０ａを取り付けるための第１取付部３２，３２が前後方向で２箇所に設けられている。第１取付部３２は、主脚取付部２６ａ等と同様に鬼目ナットで構成されている。つまり、第１取付部３２は、取付巾木２８に螺入・埋設されることで、その内周面に形成された雌ねじを該取付巾木２８の外面側に露出させたナット部材である。取付巾木２８は、天板１２の下面１２ａに対してボルト等によって固定してもよく、補助脚１６や天板１２と一体的に成形したものであってもよい。
【００２５】
主脚２０は、その内面側から補助脚１６に対して該補助脚１６の外面の一部又は全部を覆うように固定されることで、門形の本体１８を上下方向で所望の位置に支持する矩形の板状部材である。主脚２０は、例えば、木製や金属製の板材によって構成される。
【００２６】
図２及び図３から明らかなように、主脚２０の上端面は、取付巾木２８の下面と対応する形状とされており、その前端部には、取付巾木２８の先端面２８ａを囲繞可能な突部２０ａが設けられている。この突部２０ａを設けたことにより、天板１２の高さ位置が最も下降した位置に設定された場合に（図２参照）、主脚２０は、机１０の正面視で正面側の端面２０ｂ（突部２０ａ部分の端面２０ｂ）が、取付巾木２８の先端面２８ａを隠す位置となる。
【００２７】
主脚２０には、上下方向に沿って複数（本実施形態では２段）の補助脚取付部３４ａ，３４ｂが前後方向で一対設けられている。補助脚取付部３４ａ，３４ｂは、ボルト３６のねじ部が外面側から挿通される板厚方向の貫通孔である。図４に示すように、主脚２０に設けられる補助脚取付部３４ａ，３４ｂの間隔（上下方向のピッチＰ１）は、補助脚１６に設けられる主脚取付部２６ａ〜２６ｅの上下方向のピッチＰ２の２倍の大きさに設定されている。
【００２８】
図２及び図４に示すように、主脚２０の外面において、上方の補助脚取付部３４ａ，３４ａ間であり且つ該補助脚取付部３４ａと同一の高さ位置には、補助天板１４の下取付部３０ｂ，３０ｂ又は３０ｃ，３０ｃ又は３０ｄ，３０ｄを取り付けるための第２取付部４０，４０が前後方向で２箇所に設けられている。第２取付部４０は、第１取付部３２と同様に鬼目ナットで構成されており、雌ねじを主脚２０の外面側に露出させたナット部材である。
【００２９】
図２〜図４から明らかなように、第２取付部４０，４０は、取付巾木２８の第１取付部３２，３２の鉛直下方となる位置に形成されている。また、図４（Ａ）に示すように、天板１２が最も下降した位置（下段）に設定された状態で、第１取付部３２と第２取付部４０との間の上下方向のピッチＰａは、補助脚１６の主脚取付部２６ａ〜２６ｅの上下方向のピッチＰ２と一致する。
【００３０】
図５は、補助天板１４の構成図であり、図５（Ａ）は、補助天板１４の平面図であり、図５（Ｂ）は、補助天板１４の側面図であり、図５（Ｃ）は、補助天板１４の正面図である。
【００３１】
補助天板１４は、天板１２の面積を拡張するために該天板１２の左右一側部又は左右両側部に着脱可能に取り付けられるオプション部品である。図２、図３及び図５に示すように、補助天板１４は、天板部４２と、天板部４２の本体１８への取付側端部から垂下され、補助脚１６や主脚２０と平行姿勢となる幕板部４４と、天板部４２と幕板部４４とを側面視略三角形状に連結することで、これら天板部４２と幕板部４４との間の接合強度を補強する前後一対の補強板部４６，４６とから構成されている。
【００３２】
天板部４２は、その前後方向寸法及び板厚が天板１２と略同一であり、左右方向寸法が天板１２より小さい小型の拡張用天板である。図５（Ａ）に示すように、天板部４２は、前後方向に対称形状とされることにより、天板１２の左右端のいずれにも違和感なく取付可能である。さらに、天板部４２は、左右方向先端に向かって前後方向寸法が多少減少すると共に、先端面が湾曲していることにより、天板１２の側部に取り付けられた場合であっても、机１０の利用者が圧迫感を受けず、利用し易い形状となっている。
【００３３】
天板部４２の下面には、前後一対のガイド桟４８，４８が固定されている。ガイド桟４８は、左右方向に沿って延びた板状部材であり、左右方向に沿って複数（本実施形態では２個）の補強板取付部５０ａ，５０ｂが設けられている。補強板取付部５０ａ，５０ｂは、鬼目ナットによって構成され、各ガイド桟４８，４８の外面側に向かって雌ねじを露出させたナット部材である。
【００３４】
補強板部４６は、図５（Ｃ）に示す正面視で略Ｌ字状の板状部材であり、水平方向に沿って延在する部位には板厚方向の貫通孔５２ａ，５２ｂが形成され、鉛直方向に沿って延在する部位の間には、図示しないボルト等によって幕板部４４が挟持固定される。補強板部４６の外面側から貫通孔５２ａ，５２ｂに図示しないボルトのねじ部を挿通させ、該ボルトをガイド桟４８の補強板取付部５０ａ，５０ｂに締結することにより、天板部４２と幕板部４４と補強板部４６とが一体的に連結される。ガイド桟４８を省略し、補強板部４６を天板部４２の下面に直接的に取り付ける構成としても勿論よい。
【００３５】
図２、図３及び図５（Ｂ）に示すように、幕板部４４には、上下方向に沿って上取付部３０ａと、複数（本実施形態では３段）の下取付部３０ｂ，３０ｃ，３０ｄとが前後方向で一対設けられている。上取付部３０ａ及び下取付部３０ｂ〜３０ｄは、幕板部４４を板厚方向に貫通する貫通孔である。本実施形態では、上取付部を１段、下取付部を３段としているが、これらの段数は適宜変更可能である。
【００３６】
図４及び図５（Ｂ）に示すように、上取付部３０ａ及び下取付部３０ｂ〜３０ｄの上下方向のピッチＰｂは、補助脚１６の主脚取付部２６ａ〜２６ｅの上下方向のピッチＰ２、及び、天板１２が最も下降した位置に設定された状態での第１取付部３２と第２取付部４０との間の上下方向のピッチＰａ（図４（Ａ）参照）と一致する。図４から明らかなように、上取付部３０ａは、幕板部４４の上端近傍であって天板部４２の下面に近接する位置に形成されており、天板１２に対して天板部４２が面一で設置された状態で、取付巾木２８の第１取付部３２と同軸上に配置される。また、下取付部３０ｂ〜３０ｄは、天板１２の昇降段数と同数設けられる必要があり、本実施形態では３段設けられている。
【００３７】
次に、天板１２の昇降動作、及び天板１２の昇降動作に対応して天板部４２を各高さ位置の天板１２と面一に設置可能な補助天板１４の取付構造について説明する。
【００３８】
図２及び図４（Ａ）に示すように、天板１２を最も下降した位置（下段）に設定する場合には、主脚２０の補助脚取付部３４ａ，３４ｂをそれぞれ補助脚１６の１，３段目の主脚取付部２６ａ，２６ｃと同軸上に設定する。そして、ボルト３６（図２参照）を補助脚取付部３４ａ，３４ｂを通して主脚取付部２６ａ，２６ｃに締結することにより、天板１２の高さ位置を下段に規定することができる。
【００３９】
この状態では、主脚２０の上端面が取付巾木２８の下面に当接又は近接する位置にあり、取付巾木２８の第１取付部３２と主脚２０の第２取付部４０との間がピッチＰａとなっている。このため、これら第１取付部３２及び第２取付部４０に対して、補助天板１４の上取付部３０ａ及び１段目の下取付部３０ｂを同軸上に設定することができる。そこで、ボルト５４を上取付部３０ａ及び１段目の下取付部３０ｂを通して第１取付部３２及び第２取付部４０に締結することにより、天板部４２を天板１２の高さ位置に一致させた高さ位置で、補助天板１４を本体１８に取り付けることができる。
【００４０】
一方、図３及び図４（Ｂ）に示すように、天板１２を最も上昇した位置（上段）に設定する場合には、主脚２０の補助脚取付部３４ａ，３４ｂをそれぞれ補助脚１６の３，５段目の主脚取付部２６ｃ，２６ｅと同軸上に設定する。そして、ボルト３６（図３参照）を補助脚取付部３４ａ，３４ｂを通して主脚取付部２６ｃ，２６ｅに締結することにより、天板１２の高さ位置を上段に規定することができる。
【００４１】
この状態では、主脚２０の上端面が取付巾木２８の下面から大きく離間した位置にあり、取付巾木２８の第１取付部３２と主脚２０の第２取付部４０との間がピッチＰａの３倍の間隔のピッチＰｃとなっている。このため、これら第１取付部３２及び第２取付部４０に対して、補助天板１４の上取付部３０ａ及び３段目の下取付部３０ｄを同軸上に設定することができる。そこで、ボルト５４を上取付部３０ａ及び３段目の下取付部３０ｄを通して第１取付部３２及び第２取付部４０に締結することにより、天板部４２を天板１２の高さ位置に一致させた高さ位置で、補助天板１４を本体１８に取り付けることができる。
【００４２】
図示はしないが、天板１２を中間の高さ位置（中段）の高さ位置に設定する場合にも、上記した上段や下段に設定する場合と略同様に行なうことができる。すなわち、主脚２０の補助脚取付部３４ａ，３４ｂをそれぞれ補助脚１６の２，４段目の主脚取付部２６ｂ，２６ｄと同軸上に設定し、ボルト３６を補助脚取付部３４ａ，３４ｂを通して主脚取付部２６ｂ，２６ｄに締結することにより、天板１２の高さを中段に規定することができる。
【００４３】
この状態では、主脚２０の上端面が取付巾木２８の下面からやや離間した位置にあり、取付巾木２８の第１取付部３２と主脚２０の第２取付部４０との間がピッチＰａの２倍の間隔となっている。このため、これら第１取付部３２及び第２取付部４０に対して、補助天板１４の上取付部３０ａ及び２段目の下取付部３０ｃを同軸上に設定することができる。そこで、ボルト５４を上取付部３０ａ及び２段目の下取付部３０ｃを通して第１取付部３２及び第２取付部４０に締結することにより、天板部４２を天板１２の高さ位置に一致させた高さ位置で、補助天板１４を本体１８に取り付けることができる。
【００４４】
以上のように、本実施形態に係る机１０は、天板１２の左右端の内方下面より垂下される補助脚１６を有する本体１８と、補助脚１６の外面に対して高さ位置を変更可能に取り付けられる主脚２０とを備え、主脚２０に対する補助脚１６の高さ位置を変更することで天板１２の高さ位置を調整可能に構成される。机１０において、本体１８は、補助脚１６の上端外面側に取付巾木２８を有し、取付巾木２８には、天板１２の大きさを拡張する補助天板１４の上取付部３０ａを取り付ける第１取付部３２が設けられ、主脚２０には、補助天板１４において上取付部３０ａの下方に設けられる下取付部３０ｂ〜３０ｄを取り付ける第２取付部４０が設けられている。
【００４５】
このように、机１０では、補助天板１４を、本体１８側の取付巾木２８の第１取付部３２と、本体１８の高さ位置を変更可能に支持する主脚２０の第２取付部４０とに対して、上取付部３０ａと下取付部３０ｂ〜３０ｄとで同時に取り付ける構造としている。従って、天板１２の高さ位置を変更した場合であっても、補助天板１４の天板部４２の高さ位置を天板１２の高さ位置に対応した所望の高さ位置に容易に設定することができると共に、補助天板１４を上下方向２箇所で支持することにより高い強度で机１０に固定することができる。また、机１０では、補助天板１４を当該机１０の側面に対して各取付部によって直接的に取り付けることができるため、補助天板取付用の金具等が不要であると共に、金具が外面に露出することもない。
【００４６】
机１０では、上取付部３０ａと下取付部３０ｂ（３０ｃ，３０ｄ）との間の上下方向のピッチＰｂ、及び第１取付部３２と第２取付部４０との間の上下方向のピッチＰａ（Ｐｃ）は、天板１２の高さ位置の調整ピッチＰ２に対応しており、つまり、ピッチＰａ〜Ｐｃは、ピッチＰ２の整数倍、本実施形態では１〜３倍となるように構成されている。そして、下取付部３０ｂ〜３０ｄは、天板１２の高さ位置の調整ピッチＰ２に対応するピッチＰｂで上下方向に複数（本実施形態では３段）を設けられている。これにより、天板１２の高さ位置を変更した場合に、その高さ位置の調整ピッチＰ２に対し、補助天板１４の取付ピッチである第１取付部３２と第２取付部４０との間のピッチＰａ（Ｐｃ）、及び上取付部３０ａと下取付部３０ｂ〜３０ｄとの間のピッチＰｂを追従させることができるため、補助天板１４の天板部４２の高さ位置を天板１２の高さ位置の調整に確実に対応させることができる。
【００４７】
机１０では、第１取付部３２及び第２取付部４０をそれぞれ上下方向で１段設け、上取付部３０ａ及び下取付部３０ｂ〜３０ｄのうち、下取付部３０ｂ〜３０ｄを上下方向で３段設けている。これにより、図２から明らかなように、補助天板１４を取り付けず、机１０を単独で使用する場合に、机１０の側面において、補助天板１４の取付構造に係る要素は、第１取付部３２及び第２取付部４０の合計４箇所のみの最小限の穴数が露出するだけとなるため、机１０の外観が損なわれることを最小限に抑えることができる。換言すれば、例えば、第２取付部４０を上下方向に複数設けた場合であって、補助天板１４を取り付けない状態では、机１０の側面に不要な孔部やナット部材が多数露出し、机１０の外観が損なわれることになる。勿論、机１０の外観を特に問題としない場合等には、第２取付部４０や第１取付部３２を上下方向に複数設けてもよい。
【００４８】
また、机１０の昇降構造を構成する主脚取付部２６ａ〜２６ｅ及び補助脚取付部３４ａ，３４ｂと、補助天板１４の取付構造を構成する第１取付部３２、第２取付部４０、上取付部３０ａ及び下取付部３０ｂ〜３０ｄとは、全て、机１０の外面側から内面側に向かった方向で各ボルト３６，５４を螺回させるように構成している。このため、ボルト３６，５４が回しやすい位置にあるため、天板１２を昇降させたり、補助天板１４を取り付けたりする場合の作業が容易となっている。この際、補助天板１４を固定するための４本のボルト５４は、長さ・螺入方向を統一することができるため、着脱のし易さが一層向上し、ボルト３６についても同様である。
【００４９】
机１０において、取付巾木２８は、天板１２の前後方向に沿って延び、その先端面２８ａが天板１２の前端面１２ｂより後方に退避した位置にあり、図２に支示すように天板１２の高さ位置が最も下降した位置に設定された場合に、机１０の正面視で、主脚２０の正面側の端面２０ｂが取付巾木２８の先端面２８ａを隠す位置にある。これにより、補助天板１４を取り付けない状態で机１０の正面に取付巾木２８が露出することを防止できるため、補助天板１４を取り付けない状態での机１０の外観を一層向上させることができる。勿論、天板１２の高さ位置が最も下降した位置以外に設定された場合であっても、主脚２０の端面２０ｂが取付巾木２８の先端面２８ａを隠す位置にある構造としてもよい。また、取付巾木２８を主脚２０や補助脚１６の前後方向寸法と同一の長さの直方体で構成し、取付部材２８の先端面２８ａが主脚２０によって隠されない構造としても勿論よい。
【００５０】
上記のように、取付巾木２８は、補助天板１４の上取付部３０ａを固定するために用いられ、補助天板１４を利用しない場合には特に使用されることはない。
【００５１】
そこで、図６に示すように、取付巾木２８を、補助脚１６の外面上端位置と、主脚２０の上端面とに着脱可能に構成してもよい。この場合、例えば、取付巾木２８に上下方向の貫通孔６０，６０が前後方向で一対形成される。そして、補助脚１６の外面上端位置に固定する場合には、例えば、取付巾木２８の下面側からボルト６２のねじ部を貫通孔６０に通し、天板１２の下面１２ａに形成した巾木取付部６４に締結するとよい。一方、取付巾木２８を主脚２０の上端面に固定する場合には、取付巾木２８の上面側からボルト６２のねじ部を貫通孔６０に通し、主脚２０の上端面に形成した巾木取付部６６に締結するとよい。巾木取付部６４，６６は、上記の主脚取付部２６ａ等と同様に、例えば鬼目ナットで構成される。
【００５２】
このように、取付巾木２８を本体１８及び主脚２０に対して着脱可能に構成すると、補助天板１４を利用しない場合には、図６中に実線で示すように、主脚２０に固定しておくことで、取付巾木２８が一体となって主脚２０の上端面を平面で形成するため、机１０を昇降させた際の側面の外観を一層向上させることができる。しかも、補助天板１４を利用する場合には、図６中に２点鎖線で示すように、本体１８（天板１２）に固定しておくことで、第１取付部３２を補助天板１４の上取付部３０ａに対応させることができる。
【００５３】
なお、本発明は、上記した実施形態に限定されるものではなく、本発明の主旨を逸脱しない範囲で自由に変更できることは勿論である。
【００５４】
例えば、上記実施形態では、補助天板１４の机１０への取付構造として、ボルト・ナットを用いる方法を例示したが、補助天板１４にフック状の部材を設け、机１０に前記フック状の部材が係合可能な孔部や凹部を設けた構成等としてもよい。また、主脚取付部２６ａ等は、上記した鬼目ナットによる構成以外であってもよく、単なる貫通孔とし、ボルト・ナット等によって固定する構成としてもよい。
【００５５】
上記実施形態では、天板１２の昇降段数を３段とした構成を例示したが、天板１２の昇降段数は２段又は４段以上に変更可能であることは勿論である。また、天板１２の昇降構造は、ボルト・ナットを用いた多段構造以外にも、例えば、油圧や空気圧等を用いた無段階の昇降機構で構成してもよく、この場合には、補助天板１４の取付巾木２８及び主脚２０への取付構造は、例えば、上取付部及び下取付部を上下方向の長孔等で構成し、天板１２の昇降位置に対応可能な構成とすればよい。
【００５６】
また、補助脚１６と主脚２０との配置関係は、補助脚１６の外面に板状部材の主脚２０を配置する以外にも、例えば、主脚２０を上端が開口する袋状に構成し、補助脚１６をその下端側から主脚２０の内部に挿入した状態で上下動するように構成してもよく、この場合には、主脚２０によって補助脚１６の内外面が覆われ、補助脚１６は主脚２０の内面及び外面に対して取り付けられることになる。
【符号の説明】
【００５７】
１０  机
１２  天板
１２ａ  下面
１２ｂ  前端面
１４  補助天板
１６  補助脚
１６ａ，２０ｂ  端面
１８  本体
２０  主脚
２０ａ  突部
２６ａ〜２６ｅ  主脚取付部
２８  取付巾木
２８ａ  先端面
３０ａ  上取付部
３０ｂ〜３０ｄ  下取付部
３２  第１取付部
３４ａ，３４ｂ  補助脚取付部
４０  第２取付部
４２  天板部
４４  幕板部
４６  補強板部
５０ａ，５０ｂ  補強板取付部
６４，６６  巾木取付部
【図１】
2015012926.tif 000003
【図２】
2015012926.tif 000004
【図３】
2015012926.tif 000005
【図４】
2015012926.tif 000006
【図５】
2015012926.tif 000007
【図６】
2015012926.tif 000008